(57)【要約】【課題】簡易な構成で且つ安価に、外部機器との通信に起因した制御を実現可能な携帯通信端末及びその制御方法を提供する。【解決手段】本発明に係る携帯電話１０においては、ＩＣチップ３０とＩＣチップリーダ／ライタ４０との通信によってＩＣチップ３０に流れる電流の値が変化すると、その電流値変化が検出回路１２によって検出される。そして、検出回路１２によって電流値の変化が検出されると、検出プログラム１８によって、ＩＣチップ３０の履歴情報データベース３２から最新の通信履歴情報が読み出される。このように、携帯電話１０によれば、ＩＣチップ３０とＩＣチップリーダ／ライタ４０との間における通信を遅滞なく検出することができると共に、その通信内容を判別することが可能である。さらに、携帯電話１０は簡易な構成となり、且つ安価に製造することができる。【選択図】　図１
2004064124.tif 000002
【特許請求の範囲】
【請求項１】
ＩＣチップリーダ／ライタとの通信履歴情報が格納される履歴情報格納部を有するＩＣチップと、
前記ＩＣチップに流れる電流値の変化を検出する電流検出手段と、
前記電流検出手段によって前記ＩＣチップに流れる電流値の変化が検出された場合に、前記履歴情報格納部に格納された最新の前記通信履歴情報を読み出すＩＣチップ利用検出手段とを備えたことを特徴とする携帯通信端末。
【請求項２】
１又は複数のアプリケーションが格納されたアプリケーション格納部をさらに備え、
前記ＩＣチップ利用検出手段は、前記履歴情報格納部から読み出した前記通信履歴情報に基づいて、前記１又は複数のアプリケーションの中から特定のアプリケーションを起動することを特徴とする請求項１記載の携帯情報端末。
【請求項３】
ＩＣチップリーダ／ライタとの通信履歴情報が格納される履歴情報格納部を有するＩＣチップを備えた携帯情報端末の制御方法であって、
電流検出手段が、前記ＩＣチップに流れる電流値の変化を検出するステップと、
ＩＣチップ利用検出手段が、前記電流検出手段によって前記ＩＣチップに流れる電流値の変化が検出された場合に、前記履歴情報格納部に格納された最新の前記通信履歴情報を読み出すステップとを備えることを特徴とする携帯通信端末の制御方法。
【請求項４】
前記携帯情報端末は、１又は複数のアプリケーションが格納されたアプリケーション格納部をさらに備え、
前記ＩＣチップ利用検出手段が、前記履歴情報格納部から読み出した最新の前記通信履歴情報に基づいて、前記１又は複数のアプリケーションの中から特定のアプリケーションを起動するステップをさらに備えることを特徴とする請求項３記載の携帯情報端末の制御方法。
【発明の詳細な説明】
【０００１】
【発明の属する技術分野】
本発明は、ＩＣチップリーダ／ライタとの間で通信がおこなわれる携帯通信端末及びその制御方法に関するものである。
【０００２】
【従来の技術】
従来、このような分野の技術として、特開２００２―２７５５１号公報に開示された技術がある。この公報に記載された携帯通信端末及びその制御方法は、ＩＣチップリーダ／ライタとして機能する自動改札機が、ＩＣチップを内蔵した携帯電話機に制御信号を送信すると、その制御信号を受信したＩＣチップが携帯電話機のＣＰＵにその制御信号を送信する。そして、ＣＰＵが、制御信号に従って携帯電話機の動作を制御する。それにより、ユーザの意思によらずに携帯電話機の使用を禁止することができる。
【０００３】
【発明が解決しようとする課題】
しかしながら、前述した従来の携帯通信端末及びその制御方法は、ＣＰＵへ制御信号を送信する送信手段をＩＣチップ内に組み込んだり、ＣＰＵへの制御信号伝達用インターフェースをＩＣチップに別途設けたりする必要があり、ＩＣチップの大幅な設計変更が要求され、それに伴ってＩＣチップのコスト増を招いてしまうという問題があった。
【０００４】
本発明は、上述の課題を解決するためになされたもので、簡易な構成で且つ安価に、外部機器との通信に起因した制御を実現可能な携帯通信端末及びその制御方法を提供することを課題とする。
【０００５】
【課題を解決するための手段】
上記課題を解決するために本発明に係る携帯通信端末は、ＩＣチップリーダ／ライタとの通信履歴情報が格納される履歴情報格納部を有するＩＣチップと、ＩＣチップに流れる電流値の変化を検出する電流検出手段と、電流検出手段によってＩＣチップに流れる電流値の変化が検出された場合に、履歴情報格納部に格納された最新の通信履歴情報を読み出すＩＣチップ利用検出手段とを備えたことを特徴とする。
【０００６】
この携帯通信端末においては、ＩＣチップとＩＣチップリーダ／ライタとの通信によってＩＣチップに流れる電流の値が変化すると、その電流値変化が電流検出手段によって検出される。そして、電流検出手段によって電流値の変化が検出されると、ＩＣチップ利用検出手段によって、ＩＣチップの履歴情報格納部から最新の通信履歴情報が読み出される。このように、本発明に係る携帯通信端末によれば、ＩＣチップとＩＣチップリーダ／ライタとの間における通信を遅滞なく検出することができると共に、その通信内容を判別することが可能である。また、ＣＰＵへ制御信号を送信する送信手段をＩＣチップ内に組み込んだり、ＣＰＵへの制御信号伝達用インターフェースを別途設けたりする必要がないため、この携帯通信端末は簡易な構成となり、且つ安価に製造することができる。
【０００７】
また、本発明の携帯通信端末においては、１又は複数のアプリケーションが格納されたアプリケーション格納部をさらに備え、ＩＣチップ利用検出手段は、履歴情報格納部から読み出した通信履歴情報に基づいて、１又は複数のアプリケーションの中から特定のアプリケーションを起動することが好ましい。この場合、種々のアプリケーションを用意することにより、携帯通信端末で様々な機能を実現することができる。
【０００８】
上記課題を解決するために本発明に係る携帯通信端末の制御方法は、ＩＣチップリーダ／ライタとの通信履歴情報が格納される履歴情報格納部を有するＩＣチップを備えた携帯情報端末の制御方法であって、電流検出手段が、ＩＣチップに流れる電流値の変化を検出するステップと、ＩＣチップ利用検出手段が、電流検出手段によってＩＣチップに流れる電流値の変化が検出された場合に、履歴情報格納部に格納された最新の通信履歴情報を読み出すステップとを備えることを特徴とする。
【０００９】
この携帯通信端末の制御方法においては、ＩＣチップとＩＣチップリーダ／ライタとの通信によってＩＣチップに流れる電流の値が変化すると、その電流値変化が電流検出手段によって検出される。そして、電流検出手段によって電流値の変化が検出されると、ＩＣチップ利用検出手段によって、ＩＣチップの履歴情報格納部から最新の通信履歴情報が読み出される。このように、本発明に係る携帯通信端末の制御方法によれば、ＩＣチップとＩＣチップリーダ／ライタとの間における通信を遅滞なく検出することができると共に、その通信内容を判別することが可能である。また、ＣＰＵへ制御信号を送信する送信手段をＩＣチップ内に組み込んだり、ＣＰＵへの制御信号伝達用インターフェースを別途設けたりする必要がないため、携帯通信端末を簡易な構成にでき、且つ安価に製造することができる。
【００１０】
また、本発明の携帯通信端末の制御方法においては、携帯情報端末は、１又は複数のアプリケーションが格納されたアプリケーション格納部をさらに備え、ＩＣチップ利用検出手段が、履歴情報格納部から読み出した最新の通信履歴情報に基づいて、１又は複数のアプリケーションの中から特定のアプリケーションを起動するステップをさらに備えることが好ましい。この場合、種々のアプリケーションを用意することにより、携帯通信端末で様々な機能を実現することができる。
【００１１】
【発明の実施の形態】
以下、添付図面を参照して本発明に係る携帯通信端末及びその制御方法の好適な実施の形態について詳細に説明する。
【００１２】
まず、本発明に係る第１の実施形態について説明する。
【００１３】
図１に示すように、携帯電話（携帯通信端末）１０には、ＩＣチップ３０が内蔵されている。このＩＣチップ３０は、無線通信機能を有しており、具体的には、外部機器であるＩＣチップリーダ／ライタ４０が、ＩＣチップ３０からのデータの読み込み及びＩＣチップ３０へのデータの書き込みを無線でおこなうことができる構成となっている。ＩＣチップリーダ／ライタ４０とは、例えば、鉄道用の自動改札機４２などに内蔵されており、ＩＣチップ３０と自動改札機４２のＩＣチップリーダ／ライタ４０とがデータ交換をおこなうことにより当該ＩＣチップ３０を電子乗車券として機能させることなどが可能である。
【００１４】
ＩＣチップ３０は、主に、ＣＰＵ、メモリ等で構成されており、メモリ内には履歴情報データベース３２が格納されている。この履歴情報データベース３２には、ＩＣチップリーダ／ライタ４０との通信履歴情報が格納されている。通信履歴情報とは、例えば、出口側の自動改札機４２のＩＣチップリーダ／ライタ４０から無線送信された、自動改札機４２が設置された駅の名称等であり、後述する識別情報を含んでいる。履歴情報データベース３２には、通信履歴情報が複数格納されており、自動改札機４２のＩＣチップリーダ／ライタ４０からデータが書き込まれる度に通信履歴情報は最新の情報が格納されると共に、最古の情報が削除される。
【００１５】
携帯電話１０は、ＩＣチップ３０の他に、情報送受信装置、ＣＰＵ、検出回路１２、格納部１４、ディスプレイ１６、入力ボタン等を備えている。
【００１６】
検出回路１２は、図２に示すように、ブリッジ回路を有する電流検出回路である。そして、この検出回路１２には、ＩＣチップ３０とＩＣチップリーダ／ライタ４０との無線通信がおこなわれた場合に、電磁誘導によりＩＣチップ３０に流れる１μＡ程度である電流（待機電流）ｉが１Ａ程度の電流Ｉに変化したことを検出する検出端子１２ａが設けられている。この検出端子１２ａは、ＩＣチップ３０に電流Ｉが図中の矢印方向に流れたときに論理値「０」（０Ｖ）を出力し、ＩＣチップ３０に待機電流ｉが図中の矢印方向に流れているときには論理値「１」（約５Ｖ）を出力する。
【００１７】
格納部１４には、検出プログラム１８と、この検出プログラム１８によって制御されるプログラムＡ２０、プログラムＢ２２及びプログラムＣ２４の３つのプログラムとが格納されている。検出プログラム１８は、携帯電話１０のＣＰＵによって実行されることでＩＣチップ利用検出手段として機能するプログラムである。また、検出プログラム（ＩＣチップ利用検出手段）１８は、検出回路１２の検出端子１２ａが論理値「０」を出力したときに、ＩＣチップ３０の履歴情報データベース３２から最新の通信履歴情報を読み出すプログラムである。
【００１８】
また、プログラムＡ２０は、例えば、駅の名称データ（駅名データ）が与えられると、その駅名データに含まれた特定の駅の周辺地図情報をディスプレイ１６に表示するアプリケーションである。また、プログラムＢ２２は、例えば、端末制御データが与えられると、携帯電話１０の電源をオフするアプリケーションである。さらに、プログラムＣ２４は、例えば、電子マネー情報が与えられると、その電子マネー情報に基づいた加算／減算処理をすると共に、その処理結果をディスプレイ１６に表示するアプリケーションである。
【００１９】
そして、例えば、検出プログラム１８がＩＣチップ３０の履歴情報データベース３２から読み出した通信履歴情報が駅名データである場合には、その駅名データに含まれる識別情報に基づいて、地図表示アプリケーションであるプログラムＡ２０を選択的に起動する。なお、この識別情報とは、通信履歴情報に含まれる情報であると共に、特定のアプリケーションと関連づけられた情報であり、例えば、識別情報が「０１」である場合にはその通信履歴情報はプログラムＡ２０に関連する情報であり、同様に、識別情報が「０２」、「０３」である場合にはその通信履歴情報はそれぞれプログラムＢ２２、プログラムＣ２４に関連する情報であることが判別可能である。
【００２０】
ディスプレイ１６は、アプリケーションプログラムであるプログラムＡ２０及びプログラムＣ２４の出力結果を表示する。
【００２１】
次に、上述した携帯電話１０が、出口側の自動改札機（ＩＣチップリーダ／ライタ）４０から駅名データを受信した態様を例に、携帯電話１０を制御する方法について、図３を参照しつつ説明する。
【００２２】
まず、ＩＣチップリーダ／ライタ４０からＩＣチップ３０に駅名データが送信されると（Ｓ１０）、携帯電話１０本体に内蔵された検出回路１２によってＩＣチップ３０に流れる電流値の変化が検出される（Ｓ１２）。次に、ＩＣチップリーダ／ライタ４０から送信された駅名データはＩＣチップ３０の履歴情報データベース３２に格納されるが（Ｓ１４）、格納部１４に格納された検出プログラム１８はその駅名データを読み出す（Ｓ１６）。
【００２３】
駅名データを読み出した検出プログラム１８は、地図表示アプリケーションであるプログラムＡ２０を起動すると共に、駅名データをプログラムＡ２０に送る（Ｓ１８）。プログラムＡ２０は、受けとった駅名データに基づいて、その駅名と関連づけられた地図情報を取得する（Ｓ２０）。この地図情報の取得方法としては、例えば、予め格納部１４に格納された地図情報を読み出す方法や、携帯電話１０のインターネット接続機能を利用して地図情報をダウンロードする方法などがある。そして、プログラムＡ２０は、取得した地図情報をディスプレイ１６に表示する（Ｓ２２）。
【００２４】
このように、携帯電話１０を自動改札機４２に内蔵されたＩＣチップリーダ／ライタ４０にかざす行為等により、そのＩＣチップリーダ／ライタ４０から駅名データが携帯電話１０に送信されると、その自動改札機４２が設置された駅の周辺地図等が携帯電話１０のディスプレイ１６に表示される。このように、携帯電話１０は、ＩＣチップリーダ／ライタ４０からの信号送信に起因して、各種プログラム２０，２２，２４を選択的に起動することが可能である。その際、ＩＣチップ３０自体は、信号送信する必要がないため、携帯電話１０は構成が簡易であり且つ安価に製造することができる。
【００２５】
なお、履歴情報データベース３２に、最新の複数（例えば、３つ）の通信履歴情報を格納しておくことにより、ＩＣチップ３０が以前に受信した制御信号もユーザによって確認及び利用することができる。
【００２６】
次に、本発明に係る第２実施形態について説明する。
【００２７】
図４に示すように、携帯端末５０は、ＩＣチップ３０のメモリ内に、さらに電子バリューデータベース３４が格納されている点で携帯端末１０と異なる。また、本実施形態におけるＩＣチップリーダ／ライタ４０は、例えば、ＰＯＳレジ４４等に内蔵されており、ＩＣチップ３０との通信により電子マネーの授受をおこなうことが可能である。
【００２８】
以下、携帯電話５０が、ＩＣチップリーダ／ライタ４０から電子マネー情報を受信した態様を例に、携帯電話５０を制御する方法について、図５を参照しつつ説明する。なお、電子マネー情報とは、上述した識別情報を含んだ情報であり、その識別信号に基づいて検出プログラム１８がプログラムＣ２４を起動する。また、電子マネー情報は、電子バリュー情報を含んでいる。この電子バリュー情報とは、例えば、「−１０００円」等であり、電子マネーの加算／減算処理に必要な情報である。
【００２９】
まず、ＩＣチップリーダ／ライタ４０からＩＣチップ３０に電子マネー情報が送信されると（Ｓ３０）、携帯電話５０本体に内蔵された検出回路１２によってＩＣチップ３０に流れる電流値の変化が検出される（Ｓ３２）。ＩＣチップリーダ／ライタ４０から送信された電子マネー情報はＩＣチップ３０の履歴情報データベース３２に格納され、また、当該電子マネー情報に含まれる電子バリュー情報は電子バリューデータベース３４に格納され（Ｓ３４）、格納部１４に格納された検出プログラム１８によって電子マネー情報が読み出される（Ｓ３６）。
【００３０】
そして、電子マネー情報を読み出した検出プログラム１８は、電子マネー用ビューアであるプログラムＣ２４を起動する（Ｓ３８）。起動したプログラムＣ２４は、電子バリューデータベース３４に格納されている電子バリュー情報を読み出すと共に（Ｓ４０）、読み出した電子バリュー情報をディスプレイ１６に表示する（Ｓ４２）。
【００３１】
このように、携帯電話５０をＰＯＳレジ４４のＩＣチップリーダ／ライタ４０にかざす行為等により、ＩＣチップリーダ／ライタ４０から電子マネー情報が携帯電話５０に送信されると、そのＰＯＳレジとの間で電子マネーの授受がおこなわれると共に、授受された電子マネーの金額が携帯電話５０のディスプレイ１６に表示される。このように、携帯電話５０においても、携帯電話１０同様、ＩＣチップリーダ／ライタ４０からの制御信号送信に起因して、各種プログラム２０，２２，２４を選択的に起動することが可能である。その際、ＩＣチップ３０自体は、信号送信する必要がないため、携帯電話１０は構成が簡易であり且つ安価に製造することができる。
【００３２】
なお、第２実施形態に係る携帯電話５０と自動改札機４０との協働により、駅周辺の地図表示だけでなく、電子マネーによる運賃の支払いが可能であることはいうまでもない。
【００３３】
本発明は上記実施形態に限定されるものではなく、様々な変形が可能である。例えば、携帯通信端末は、ＩＣチップを取付可能であればよく、携帯電話の他、例えば、ＰＤＡ、携帯型パソコン、ＡＶプレーヤや時計などの携帯機器などであってもよい。また、ＩＣチップ３０は、携帯端末１０，５０に着脱自在に取り付けてもよい。さらに、通信履歴情報に含まれる識別情報を、複数のアプリケーションと関連づけることにより、検出プログラムが複数のプログラムを起動するようにしてもよい。
【００３４】
【発明の効果】
本発明によれば、簡易な構成で且つ安価に、外部機器との通信に起因した制御を実現可能な携帯通信端末及びその制御方法が提供される。
【図面の簡単な説明】
【図１】本発明の第１の実施形態に係る携帯電話のシステム構成図である。
【図２】検出回路の回路構成の一例を示した回路構成図である。
【図３】図１の携帯電話の制御方法を示したフロー図である。
【図４】本発明の第２の実施形態に係る携帯電話のシステム構成図である。
【図５】図４の携帯電話の制御方法を示したフロー図である。
【符号の説明】
１０，５０…携帯電話、１２…検出回路、１４…格納部、１８…検出プログラム、２０，２２，２４…プログラム、３０…ＩＣチップ、３２…履歴情報データベース、４０…ＩＣチップリーダ／ライタ。
【図１】
2004064124.tif 000003
【図２】
2004064124.tif 000004
【図３】
2004064124.tif 000005
【図４】
2004064124.tif 000006
【図５】
2004064124.tif 000007